(57)【要約】【課題】設計の自由度を確保することができる移動体照明装置及び移動体を提供する。【解決手段】移動体照明装置１０は、第１光源１１０と、第１光源１１０よりも前方に配置され、前方に光を出射する第２光源１２０と、回転楕円体の一部を構成する反射体１３０であって、第１光源１１０が出射した光を反射する反射体１３０と、第１光源１１０が出射して反射体１３０で反射された光が入射する投影レンズ１７０と、第２光源１２０と投影レンズ１７０との間で、第２焦点Ｓ２の近傍に配置されるシェード１６０とを備える。投影レンズ１７０は、第１光源１１０が出射して反射体１３０で反射した光が入射する第１レンズ部１７１と、第２光源１２０から出射された光が入射する第２レンズ部１７２とを有する。そして、回転楕円体の長軸は、水平方向に対して傾いている。【選択図】図２
2019061905.tif 000002
【特許請求の範囲】
【請求項１】
移動体に用いられる移動体照明装置であって、
光を出射する第１光源と、
前記第１光源よりも前方に配置され、前方に光を出射する第２光源と、
前記第１光源近傍の第１焦点と第２焦点とを有する回転楕円体の一部を構成する反射体であって、前記第１光源が出射した光を反射する反射体と、
前記第２光源よりも前方に配置され、前記第１光源が出射して前記反射体で反射された光が入射する投影レンズと、
前記第２光源と前記投影レンズとの間で、前記第２焦点の近傍に配置される遮蔽体とを備え、
前記遮蔽体は、前記反射体で反射した光の一部をカットオフして前記投影レンズに光を入射させる段状の端縁部を有し、
前記投影レンズは、前記第１光源が出射して前記反射体で反射した光が入射する第１レンズ部と、前記第２光源から出射された光が入射する第２レンズ部とを有し、
前記回転楕円体の長軸は、当該移動体照明装置を前記移動体に設置した状態における水平方向に対して傾いている
移動体照明装置。
【請求項２】
前記第２光源は、鉛直方向において、前記第１光源よりも鉛直下方に配置され、かつ、前記遮蔽体よりも鉛直上方に配置されている
請求項１に記載の移動体照明装置。
【請求項３】
前記第１レンズ部は、鉛直方向において、前記第２レンズ部の鉛直下方に配置され、かつ、前記端縁部よりも前記鉛直下方に配置されている
請求項１又は２に記載の移動体照明装置。
【請求項４】
鉛直上方から鉛直下方に向かって、前記第１光源、前記第２光源、前記端縁部、及び、前記第２レンズ部と前記第１レンズ部との境界がこの順で配置されている
請求項１〜３のいずれか１項に記載の移動体照明装置。
【請求項５】
前記第２光源は、複数設けられている
請求項１〜４のいずれか１項に記載の移動体照明装置。
【請求項６】
複数の前記第２光源が出射した光を案内する鏡筒を備え、
前記鏡筒は、複数の前記第２光源と一対一で対応し、かつ、各々の第２光源から出射された光を個別の領域ごとに照射することが可能な導光路を有する
請求項５項に記載の移動体照明装置。
【請求項７】
前記第１光源を配置する第１面と、前記第２光源を配置する第２面とを有し、前記第１光源及び前記第２光源に熱的に接続する放熱部を備え、
前記放熱部は、前記第１面と前記第２面とが交差する第１端縁を有し、
前記第２光源は、前記第１端縁から所定の間隔を隔てて前記第２面に配置されている
請求項１〜６のいずれか１項に記載の移動体照明装置。
【請求項８】
前記反射体の後方の端部は、前記第１光源よりも後方に位置し、かつ、前記第１光源よりも鉛直上方に位置している
請求項１〜７のいずれか１項に記載の移動体照明装置。
【請求項９】
前記放熱部は、前記第１面に形成された凸部を有し、
前記凸部は、前記水平方向に対して前方に下り傾斜する傾斜面を有し、
前記第１光源は、前記傾斜面に配置されている
請求項７に記載の移動体照明装置。
【請求項１０】
前記放熱部は、略直方体状であり、
前記放熱部は、前記第１面において、前記第１端縁と反対側の第２端縁を有し、
前記反射体の後方の端部は、前記第２端縁に接している
請求項７又は９に記載の移動体照明装置。
【請求項１１】
請求項１〜１０のいずれか１項に記載の移動体照明装置を前照灯に用いた
移動体。
【発明の詳細な説明】
【技術分野】
【０００１】
本開示は、移動体照明装置及び移動体に関する。
【背景技術】
【０００２】
前方に光を出射する車両用の照明装置であって、基板の端縁側に実装されたハイビーム用の第１の発光素子と、ロービーム用の第２の発光素子と、第１の発光素子及び第２の発光素子の前方に配置されたレンズ体とを備える車両用の照明装置が開示されている（例えば特許文献１参照）。
【先行技術文献】
【特許文献】
【０００３】
【特許文献１】特開２０１５−２１６０１９号公報
【発明の概要】
【発明が解決しようとする課題】
【０００４】
特許文献１の車両用の照明装置において、第１の発光素子に取り付けられている第１のヒートシンクと第２の発光素子に取り付けられている第２のヒートシンクとを共通化し、第１の発光素子用のレンズ体と第２の発光素子用のレンズ体とも共通化した場合、ハイビーム用の第１の発光素子は、第２の発光素子の近傍に第１の発光素子が配置されることが考えられる。これは、ハイビームは、ロービームよりも上方の領域を照らすためである。この場合では、第１の発光素子と第２の発光素子とが第１のヒートシンクの角部周辺に配置されることとなるため、設計の自由度を確保することができ難くなる。
【０００５】
そこで、本開示は、設計の自由度を確保することができる移動体照明装置及び移動体を提供することを目的とする。
【課題を解決するための手段】
【０００６】
上記目的を達成するため、本開示の一態様に係る移動体照明装置は、移動体に用いられる移動体照明装置であって、光を出射する第１光源と、前記第１光源よりも前方に配置され、前方に光を出射する第２光源と、前記第１光源近傍の第１焦点と第２焦点とを有する回転楕円体の一部を構成する反射体であって、前記第１光源が出射した光を反射する反射体と、前記第２光源よりも前方に配置され、前記第１光源が出射して前記反射体で反射された光が入射する投影レンズと、前記第２光源と前記投影レンズとの間で、前記第２焦点の近傍に配置される遮蔽体とを備え、前記遮蔽体は、前記反射体で反射した光の一部をカットオフして前記投影レンズに光を入射させる段状の端縁部を有し、前記投影レンズは、前記第１光源が出射して前記反射体で反射した光が入射する第１レンズ部と、前記第２光源から出射された光が入射する第２レンズ部とを有し、前記回転楕円体の長軸は、当該移動体照明装置を前記移動体に設置した状態における水平方向に対して傾いている。
【０００７】
また、本開示の一態様に係る移動体は、移動体照明装置を前照灯に用いる。
【発明の効果】
【０００８】
本開示によれば、設計の自由度を確保することができる。
【図面の簡単な説明】
【０００９】
【図１】図１は、実施の形態１に係る車両を示す模式図である。
【図２】図２は、図１のＩＩ−ＩＩ線における実施の形態１に係る移動体照明装置を示す断面図である。
【図３】図３は、実施の形態１に係る移動体照明装置のシェードを示す部分拡大斜視図である。
【図４】図４は、実施の形態１に係る移動体照明装置における光路を示す模式断面図である。
【図５】図５は、比較例に係る移動体照明装置を示す断面図である。
【図６】図６は、比較例に係る移動体照明装置における光路を示す模式断面図である。
【図７】図７は、実施の形態２に係る移動体照明装置を示す断面図である。
【図８】図８は、実施の形態２に係る移動体照明装置の鏡筒を示す斜視図である。
【発明を実施するための形態】
【００１０】
以下、本開示の実施の形態について、図面を参照しながら説明する。以下に説明する実施の形態は、いずれも本開示の好ましい一具体例を示すものである。したがって、以下の実施の形態で示される数値、形状、材料、構成要素、構成要素の配置位置及び接続形態などは、一例であって本開示を限定する主旨ではない。よって、以下の実施の形態における構成要素のうち、本開示の最上位概念を示す独立請求項に記載されていない構成要素については、任意の構成要素として説明される。
【００１１】
また、「略＊＊」との記載は、「略同一」を例に挙げて説明すると、全く同一はもとより、実質的に同一と認められるものを含む意図である。また、「＊＊近傍」においても、「＊＊近傍」との記載を例に挙げて説明すると、「＊＊」と接触又は「＊＊」から数ｃｍ以内を含む意図である。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
以下、本開示の実施の形態に係る移動体照明装置及び移動体について説明する。
【００１４】
（実施の形態１）
［構成］
図１は、実施の形態１に係る車両１００を示す模式図である。
【００１５】
移動体照明装置１０が出射する光の出射方向をＸ軸プラス方向と規定し、光の出射方向に対して紙面裏面に対する紙面表面側をＹ軸プラス方向と規定し、第１光源１１０が発する光の出射方向をＺ軸プラス方向と規定し、Ｘ、Ｙ、Ｚの各方向を表示する。図２に示す各方向は、図３に示す各方向に対応させて表示する。Ｘ、Ｙ、Ｚの各方向を表示していない図を除き、図３以降の図においても、同様である。
【００１６】
図１に示すように、移動体照明装置１０は、車両１００に用いられ、車両１００に搭載される前照灯１である。移動体照明装置１０は、車両１００の電気系統に電気的に接続されている。車両１００は、移動体の一例である。
【００１７】
図２は、図１のＩＩ−ＩＩ線における実施の形態１に係る移動体照明装置１０を示す断面図である。図２は、断面だけを示している。
【００１８】
図２に示すように、移動体照明装置１０は、車両１００に用いられるモジュールである。移動体照明装置１０は、第１光源１１０と、反射体１３０と、第２光源１２０と、放熱部１４０と、保持部材１５０と、シェード１６０と、投影レンズ１７０とを備える。
【００１９】
第１光源１１０は、第１基板１１１と、第１発光素子１１２とを有する。
【００２０】
第１基板１１１は、第１発光素子１１２を実装するための実装基板であって、例えばセラミックス基板、樹脂基板又は絶縁被覆されたメタルベース基板などである。本実施の形態では、ＬＴＣＣ（Ｌｏｗ  Ｔｅｍｐｅｒａｔｕｒｅ  Ｃｏ−ｆｉｒｅｄ  Ｃｅｒａｍｉｃｓ）のパッケージ基板である。また、第１基板１１１は、例えば平面視において矩形である平面を有する板状である。
【００２１】
第１基板１１１には、第１発光素子１１２が実装されている。第１基板１１１は、Ｘ軸方向に対して、Ｘ軸プラス方向に下り傾斜した姿勢で、後述する放熱部１４０の第１面１４１に固定されている。
【００２２】
第１発光素子１１２は、光を出射する。本実施の形態では、第１基板１１１は傾斜した姿勢で放熱部１４０に配置されているため、第１発光素子１１２は、第１発光素子１１２が発する光の出射方向がＺ軸プラス方向に対してＸ軸プラス方向に傾いている。Ｚ軸プラス方向は、鉛直上方の一例である。第１発光素子１１２は、第１端縁Ｐ１から所定の間隔を隔てて、第１面１４１の傾斜面１４１ａに配置されている。
【００２３】
第１発光素子１１２は、移動体照明装置１０の出射光となる光を出射する光源である。本実施の形態では、第１発光素子１１２は、ＬＥＤ（Ｌｉｇｈｔ  Ｅｍｉｔｔｉｎｇ  Ｄｉｏｄｅ）を有する発光モジュールであって、所定の光を放射状に出射するＬＥＤ光源である。第１発光素子１１２は、例えば白色光を出射するように構成されている。第１発光素子１１２は、例えば、フリップチップ型ＬＥＤで構成され、第１基板１１１上に実装されたＬＥＤチップである。また、第１発光素子１１２は、第１基板１１１上に複数実装されていてもよい。
【００２４】
反射体１３０のＸ軸マイナス側の端部は、ネジ等の固定部材により、放熱部１４０のＸ軸マイナス側に取り付けられている。反射体１３０のＸ軸マイナス方向の端部は、第１光源１１０よりもＸ軸マイナス方向側に位置し、かつ、第１光源１１０よりもＺ軸プラス方向側に位置している。反射体１３０のＸ軸マイナス方向の端部は、第２端縁Ｐ２に接している。つまり、反射体１３０のＸ軸マイナス方向の端部は、放熱部１４０の頂上近傍に位置する。Ｘ軸マイナス方向側は、後方の一例である。
【００２５】
反射体１３０は、第１光源１１０のＺ軸プラス方向に配置されているリフレクタである。第１光源１１０と対向する反射体１３０の湾曲反射面１３０ａは、鏡面化されている。反射体１３０の湾曲反射面１３０ａは、第１光源１１０がＺ軸プラス方向に発した光を反射させて、投影レンズ１７０に入射させるような面となっている。反射体１３０の湾曲反射面１３０ａは、規定の曲率を有する。例えば、反射体１３０の湾曲反射面１３０ａに、アルミ蒸着膜等の金属蒸着膜を形成することによって、反射体１３０の湾曲反射面１３０ａの光反射機能を実現する。
【００２６】
反射体１３０は、第１光源１１０近傍の第１焦点Ｓ１とシェード１６０近傍の第２焦点Ｓ２とを有する回転楕円体Ｈ１の一部を構成する。反射体１３０は、第１光源１１０が出射した光を、第１光源１１０のＸ軸プラス方向に配置された投影レンズ１７０で反射する。反射体１３０の回転楕円体Ｈ１の長軸は、移動体照明装置１０を車両１００に設置した状態におけるＸ軸方向に対して傾いている。つまり、第１焦点Ｓ１及び第２焦点Ｓ２は、回転楕円体Ｈ１をＸ軸方向及びＺ軸方向で規定される平面で切断した場合における楕円の焦点である。第２焦点Ｓ２は、第１焦点Ｓ１に比べてＸ軸プラス方向側に位置している。回転楕円体Ｈ１は仮想曲面を有し、湾曲反射面１３０ａは仮想曲面の一部である。Ｘ軸方向は、水平方向の一例である。Ｚ軸方向は、鉛直方向の一例である。
【００２７】
具体的には、本実施の形態において、反射体１３０の湾曲反射面１３０ａを断面視した場合に、湾曲反射面１３０ａは、二点鎖線で示す略楕円形状の一部を構成している。二点鎖線で示す略楕円形状の長軸は、Ｘ軸マイナス方向からＸ軸プラス方向に下り傾斜している。反射体１３０の略楕円形状が有する第１焦点Ｓ１の近傍には、第１光源１１０が配置される。また、この略楕円形状が有する第２焦点Ｓ２の近傍には、シェード１６０が配置される。
【００２８】
第２光源１２０は、第２基板１２１と、第２発光素子１２２とを有する。
【００２９】
第２基板１２１は、第２発光素子１２２を実装するための実装基板であって、例えばセラミックス基板、樹脂基板又は絶縁被覆されたメタルベース基板などである。本実施の形態では、ＬＴＣＣのパッケージ基板である。また、第２基板１２１は、例えば平面視において矩形である平面を有する板状である。
【００３０】
第２基板１２１には、第２発光素子１２２が実装されている。第２基板１２１は、放熱部１４０のＸ軸プラス方向側の第２面１４２に固定されている。
【００３１】
第２光源１２０の第２発光素子１２２は、第１光源１１０の第１発光素子１１２よりもＸ軸プラス方向に配置され、Ｘ軸プラス方向に光を出射する。本実施の形態では、第２発光素子１２２は、第２発光素子１２２が発する光の出射方向がＸ軸プラス方向に向いている。Ｘ軸プラス方向は、前方であり、車両１００の進行方向でもある。
【００３２】
第２発光素子１２２は、Ｚ軸方向において、第１光源１１０よりもＺ軸マイナス方向に配置され、かつ、シェード１６０よりもＺ軸プラス方向に配置されている。第２発光素子１２２は、第１端縁Ｐ１から所定の間隔を隔てて、第２面１４２に配置されている。Ｚ軸マイナス方向は、鉛直下方の一例である。
【００３３】
第２発光素子１２２は、移動体照明装置１０の出射光となる光を出射する光源である。本実施の形態では、第２発光素子１２２は、ＬＥＤを有する発光モジュールであって、所定の光を放射状に出射するＬＥＤ光源である。第２発光素子１２２は、例えば白色光を出射するように構成されている。第２発光素子１２２は、例えば、フリップチップ型ＬＥＤで構成され、第２基板１２１上に実装されたＬＥＤチップである。また、第２発光素子１２２は、第２基板１２１上に複数実装されていてもよい。
【００３４】
放熱部１４０は、第１基板１１１及び第２基板１２１を保持する基台である。放熱部１４０は、略直方体状である。放熱部１４０は、第１発光素子１１２及び第２発光素子１２２が発する熱を放熱する放熱構造を有する。放熱構造は、複数のフィンを有するヒートシンクである。
【００３５】
放熱部１４０は、第１光源１１０を配置する第１面１４１と、第２光源１２０を配置する第２面１４２と、第１面１４１と第２面１４２とが交差する第１端縁Ｐ１と、第１面１４１において、第１端縁Ｐ１と反対側の第２端縁Ｐ２とを有する。放熱部１４０は、第１光源１１０及び第２光源１２０に熱的に接続する。
【００３６】
第１面１４１は、Ｘ軸方向に対して、Ｘ軸マイナス方向からＸ軸プラス方向に下り傾斜する傾斜面１４１ａと、傾斜面１４１ａと連続した平面１４１ｂとを有する。傾斜面１４１ａには、第１光源１１０が配置されている。第１面１４１は、放熱部１４０のＺ軸プラス方向側の面である。平面１４１ｂは、傾斜面１４１ａのＸ軸プラス方向側の面である。また、平面１４１ｂは、かつ、Ｘ軸方向及びＹ軸方向で規定される面に対して平行であり、かつ、第２面１４２に対して屈曲している。
【００３７】
第１面１４１は、反射体１３０のＸ軸マイナス方向の端部と接触している。つまり、放熱部１４０は、反射体１３０と熱的に接続している。
【００３８】
また、放熱部１４０は、第１面１４１に形成された凸部１４０ａを有する。凸部１４０ａは、第１面１４１の一部である傾斜面１４１ａを有している。凸部１４０ａは、平面１４１ｂに対してＺ軸プラス方向側に突出している。凸部１４０ａのＺ軸プラス方向の頂上が第２端縁Ｐ２となる。
【００３９】
第２面１４２は、Ｚ軸方向と略平行である。第２面１４２は、放熱部１４０のＸ軸プラス方向の端縁に設けられ、第１面１４１に対して屈曲している。第２面１４２には、第２基板が固定されている。
【００４０】
保持部材１５０は、例えば筒状の筐体である。保持部材１５０の内部は、第１発光素子１１２及び第２発光素子１２２が発する光が通過する、Ｘ軸プラス方向側の前側開口面が形成されている。保持部材１５０は、ネジ穴を挿通するボルト等の固定部材により、放熱部１４０に固定されている。
【００４１】
投影レンズ１７０は、第２光源１２０よりもＸ軸プラス方向に配置され、第１光源１１０を出射して反射体１３０で反射された光が入射する。投影レンズ１７０は、透光性を有する片側凸状のレンズである。投影レンズ１７０は、Ｘ軸プラス方向側が突出し、突出した表面が丸められ、Ｘ軸マイナス方向側の面が平面である。投影レンズ１７０は、保持部材１５０のＸ軸プラス方向側に配置され、保持部材１５０の前側開口面を覆っている。投影レンズ１７０には、第１発光素子１１２及び第２発光素子１２２が発した光が保持部材１５０の内部を通過して入射される。
【００４２】
投影レンズ１７０は、第１光源１１０が出射して反射体１３０で反射した光が入射する第１レンズ部１７１と、第２光源１２０から出射された光が入射する第２レンズ部１７２とを有する。
【００４３】
第１レンズ部１７１は、Ｚ軸方向において、第２レンズ部１７２のＺ軸マイナス方向に配置され、かつ、端縁部１６０ａよりもＺ軸マイナス方向に配置されている。第１レンズ部１７１の焦点は、シェード１６０のカットオフラインの近傍に位置している。
【００４４】
第１レンズ部１７１は、第２レンズ部１７２と一体的に形成されている。第１レンズ部１７１は、両側凸レンズである。第１レンズ部１７１は、第１入射面１７１ａと、出射面１７０ａとを有する。第１入射面１７１ａは、Ｘ軸マイナス方向側の曲面であり、第１光源１１０の光が入射する。出射面１７０ａは、Ｘ軸プラス方向側の曲面であり、第１入射面１７１ａから入射した光が透過する。本実施の形態では、第１レンズ部１７１の第１入射面１７１ａの曲率半径は、出射面１７０ａの曲率半径よりも大きい。
【００４５】
第２レンズ部１７２は、片側凸レンズである。第２レンズ部１７２は、第２入射面１７２ａと、出射面１７０ａとを有する。第２入射面１７２ａは、Ｘ軸マイナス方向側の平面であり、第２光源１２０の光が入射する。第２レンズ部１７２の出射面１７０ａは、第１レンズ部１７１の出射面１７０ａと面一の曲面である。このため、第２レンズ部１７２の出射面１７０ａからは、さらに、第２入射面１７２ａから入射した光が透過する。
【００４６】
第２レンズ部１７２の焦点は、第２光源１２０近傍に位置している。
【００４７】
図３は、実施の形態１に係る移動体照明装置１０のシェード１６０を示す部分拡大斜視図である。
【００４８】
図２及び図３に示すように、シェード１６０は、第２光源１２０と投影レンズ１７０との間で、第２焦点Ｓ２の近傍に配置される。シェード１６０は、第１発光素子１１２及び第２発光素子１２２が出射した光の一部を遮蔽する。シェード１６０は、板状であり、樹脂材料、金属材料等からなる。シェード１６０は、法規にて定められた前照灯１の配光パターンとなるように一部の光を遮光する。シェード１６０の形状は、配光パターンの一部を形成するために適宜調整される。シェード１６０は、遮蔽体の一例である。
【００４９】
図３に示すように、シェード１６０は、平板部１６１と、傾斜段部１６２と、端縁部１６０ａとを有する。
【００５０】
平板部１６１は、Ｘ軸方向及びＹ軸方向で規定される面に対して略平行である。傾斜段部１６２は、シェード１６０の一部分に形成され、平板部１６１に対してＺ軸プラス方向に突出した段部である。傾斜段部１６２は、Ｘ軸マイナス方向からＸ軸プラス方向に向かうにつれて昇り傾斜した斜面１６１ａを有する。端縁部１６０ａは、シェード１６０の、Ｘ軸プラス方向側、かつ、Ｚ軸プラス方向側の端縁であり、平板部１６１及び傾斜段部１６２の角によって構成されている。このため、端縁部１６０ａは、段状の部分を有する。段状の部分は、傾斜段部１６２に対応する。端縁部１６０ａは、法規にて定められた前照灯１の配光パターンとなるように、反射体１３０で反射した光の一部をカットオフして投影レンズ１７０に光を入射させる段状である。なお、平板部１６１及び傾斜段部１６２は、Ｚ軸プラス方向の面が光を拡散させる機能を有していてもよい。
【００５１】
移動体照明装置１０では、Ｚ軸プラス方向からＺ軸マイナス方向に向かって、第１光源１１０、第２光源１２０、端縁部１６０ａ、第２レンズ部１７２と第１レンズ部１７１との境界１７３がこの順に配置されている。
【００５２】
図４は、実施の形態１に係る移動体照明装置１０における光路を示す模式断面図である。図４は、断面だけを示している。
【００５３】
図４に示すように、このような移動体照明装置１０及び車両１００では、第１光源１１０が発した光は、反射体１３０の湾曲反射面１３０ａに入射する。反射体１３０の湾曲反射面１３０ａに入射した光は、反射体１３０の湾曲反射面１３０ａで反射して投影レンズ１７０における第１レンズ部１７１の第１入射面１７１ａに入射する。ここで、反射体１３０の湾曲反射面１３０ａで反射した光の一部は、シェード１６０で遮蔽される。第１レンズ部１７１の第１入射面１７１ａに入射する光は、シェード１６０で遮蔽されなかった光である。そして、第１レンズ部１７１の第１入射面１７１ａに入射した光は、第１レンズ部１７１の内部を透光して、第１レンズ部１７１の出射面１７０ａから出射する。
【００５４】
また、第１光源１１０で出射して反射体１３０で反射した光は、さらにシェード１６０の平板部１６１等で反射されて、オーバーヘッド配光とすることができる。オーバーヘッド配光を図３の一点鎖線で示す。
【００５５】
また、第２光源１２０が発した光は、第２レンズ部１７２の第２入射面１７２ａに入射する。ここで、第２光源１２０が発した光の一部は、シェード１６０で反射されて第２レンズ部１７２の第２入射面１７２ａに入射する。そして、第２レンズ部１７２の第２入射面１７２ａに入射した光は、第２レンズ部１７２の内部を透光して、第２レンズ部１７２の出射面１７０ａから出射する。
【００５６】
［比較例］
次に、比較例における移動体照明装置について説明する。
【００５７】
図５は、比較例に係る移動体照明装置を示す断面図である。図６は、比較例に係る移動体照明装置における光路を示す模式断面図である。図５及び図６は、断面だけを示している。
【００５８】
図５に示すように、比較例では、放熱部２４０は、略直方体状であり、図２の実施の形態のような傾斜面１４１ａを有しない。放熱部２４０の第１面は、Ｘ軸方向及びＹ軸方向で規定される面に対して略平行である。反射体２３０は第１面に固定され、反射体２３０の一部を構成する回転楕円体Ｈ２の長軸はＸ軸方向と略平行である。
【００５９】
投影レンズ２７０は、Ｘ軸プラス方向側の片側凸レンズであり、Ｘ軸方向及びＹ軸方向で規定される面に対して面対称である。
【００６０】
第２光源２２０は、第２焦点Ｔ２の近傍に配置されている。第２焦点Ｔ２の近傍には、反射体２３１が配置されている。この反射体２３１は、第２光源２２０が出射した光を反射して投影レンズ２７０に入射させる。また、反射体２３１は、第１光源２１０が出射して反射体２３１で反射した光の一部を、カットオフして投影レンズ２７０に光を入射させる機能を備えている。つまり、反射体２３１は、第１光源２１０が出射して反射体２３０で反射した光のカットオフラインを形成する。
【００６１】
このような比較例に係る移動体照明装置では、第１光源２１０が出射した光は、反射体２３０で反射され、反射体２３１でその一部が遮蔽され、他の一部が投影レンズ２７０のＺ軸マイナス方向側に入射する。一方、第２光源２２０が出射した光は、一部が反射体２３１で遮蔽されて投影レンズ２７０のＺ軸プラス方向側に入射する。比較例に係る移動体照明装置では、第２光源２２０を投影レンズ２７０のＺ軸プラス方向側に入射させるために、放熱部２４０のＺ軸プラス方向側に配置せざるを得なくなり、設計の自由度を確保することができていない。
【００６２】
また、比較例に係る移動体照明装置では、第２光源２２０のＸ軸プラス方向側にシェードを配置していない。このため、第２光源２２０が出射した光は、投影レンズ２７０の中央部分で、第１光源２１０が出射して反射体２３０で反射した光と混ざっている。このため、比較例に係る移動体照明装置では、十分な照らし分けを行うことができていない。
【００６３】
さらに、比較例に係る移動体照明装置では、反射体２３１が第２光源２２０近傍に配置しているため、耐熱性の高い反射体を用いる必要がある。このため、比較例に係る移動体照明装置では、製造コストが高騰化する。
【００６４】
［作用効果］
次に、本実施の形態における移動体照明装置１０及び車両１００の作用効果について説明する。
【００６５】
上述したように、本実施の形態に係る移動体照明装置１０は、車両１００に用いられる移動体照明装置１０であって、光を出射する第１光源１１０と、第１光源１１０よりもＸ軸プラス方向に配置され、Ｘ軸プラス方向に光を出射する第２光源１２０と、第１光源１１０近傍の第１焦点Ｓ１と第２焦点Ｓ２とを有する回転楕円体Ｈ１の一部を構成する反射体１３０であって、第１光源１１０が出射した光を反射する反射体１３０と、第２光源１２０よりもＸ軸プラス方向に配置され、第１光源１１０が出射して反射体１３０で反射された光が入射する投影レンズ１７０と、第２光源１２０と投影レンズ１７０との間で、第２焦点Ｓ２の近傍に配置されるシェード１６０とを備える。また、シェード１６０は、反射体１３０で反射した光の一部をカットオフして投影レンズ１７０に光を入射させる段状の端縁部１６０ａを有する。さらに、投影レンズ１７０は、第１光源１１０が出射して反射体１３０で反射した光が入射する第１レンズ部１７１と、第２光源１２０から出射された光が入射する第２レンズ部１７２とを有する。そして、回転楕円体Ｈ１の長軸は、当該移動体照明装置１０を車両１００に設置した状態におけるＸ軸方向に対して傾いている。
【００６６】
このように、シェード１６０は、第２光源１２０と投影レンズ１７０との間で、回転楕円体Ｈ１が有する第２焦点Ｓ２の近傍に配置される。また、投影レンズ１７０の第１レンズ部１７１には第１光源１１０が出射して反射体１３０で反射した光が入射し、投影レンズ１７０の第２レンズ部１７２には第２光源１２０から出射された光が入射する。反射体１３０の一部を構成する回転楕円体Ｈ１の長軸は、Ｘ軸方向に対して傾いている。第２焦点Ｓ２を第１焦点Ｓ１に対して下側に位置させた場合では、比較例の第２光源１２０の位置に比べて、本実施の形態の第２光源１２０をよりＺ軸マイナス方向に配置することができる。このため、第２光源１２０の設計の自由度を高めることができる。
【００６７】
したがって、移動体照明装置１０では、設計の自由度を確保することができる。
【００６８】
また、本実施の形態に係る車両１００は、移動体照明装置１０を前照灯１に用いている。
【００６９】
車両１００においても、上述と同様の作用効果を奏する。
【００７０】
また、本実施の形態に係る移動体照明装置１０において、第２光源１２０は、Ｚ軸方向において、第１光源１１０よりもＺ軸マイナス方向に配置され、かつ、シェード１６０よりもＺ軸プラス方向に配置されている。
【００７１】
このように、第２光源１２０は、Ｚ軸方向において、第１光源１１０よりもＺ軸マイナス方向に配置され、かつ、シェード１６０よりもＺ軸プラス方向に配置されている。このため、第２光源１２０を出射した光は、シェード１６０によって妨げられ難くなる。このため、第２光源１２０を出射した光は、第２レンズ部１７２に入射することができる。
【００７２】
また、シェード１６０は、第２光源１２０よりもＺ軸マイナス方向に位置し、かつ、Ｘ軸プラス方向に位置する。このため、第２光源１２０を出射した光は、投影レンズ１７０の第２レンズ部１７２に入射し難くなる。
【００７３】
また、本実施の形態に係る移動体照明装置１０において、第１レンズ部１７１は、Ｚ軸方向において、第２レンズ部１７２のＺ軸マイナス方向に配置され、かつ、端縁部１６０ａよりもＺ軸マイナス方向に配置されている。
【００７４】
このように、第１レンズ部１７１は、Ｚ軸方向において、第２レンズ部１７２のＺ軸マイナス方向に配置され、かつ、端縁部１６０ａよりもＺ軸マイナス方向に配置されている。このため、反射体１３０で反射された光は、シェード１６０の端縁部１６０ａによってカットオフされて、第１レンズ部１７１に入射する。このため、移動体照明装置１０では、法規にて定められた前照灯１の配光パターンとなるように一部を遮光した光を出射することができる。
【００７５】
また、本実施の形態に係る移動体照明装置１０は、Ｚ軸プラス方向からＺ軸マイナス方向に向かって、第１光源１１０、第２光源１２０、端縁部１６０ａ、及び、第２レンズ部１７２と第１レンズ部１７１との境界１７３がこの順で配置されている。
【００７６】
このように、第１光源１１０、第２光源１２０、端縁部１６０ａ、及び、第２レンズ部１７２と第１レンズ部１７１の境界１７３は、Ｚ軸プラス方向からＺ軸マイナス方向に向かって、第１光源１１０、第２光源１２０、端縁部１６０ａ、及び、第２レンズ部１７２と第１レンズ部１７１との境界１７３の順で移動体照明装置１０に配置されている。例えば、第１光源１１０が出射した光が第１光源１１０よりもＸ軸プラス方向に存在する第２光源１２０等によって遮蔽され難くなり、所望の配光パターンを得ることができる。
【００７７】
また、本実施の形態に係る移動体照明装置１０は、第１光源１１０を配置する第１面１４１と、第２光源１２０を配置する第２面１４２とを有し、第１光源１１０及び第２光源１２０に熱的に接続する放熱部１４０を備える。また、放熱部１４０は、第１面１４１と第２面１４２とが交差する第１端縁Ｐ１を有する。そして、第２光源１２０は、第１端縁Ｐ１から所定の間隔を隔てて第２面１４２に配置されている。
【００７８】
このように、放熱部１４０は、第１光源１１０を第１面１４１に配置し、第２光源１２０を第１端縁Ｐ１から所定の間隔を隔てて第２面１４２に配置する。このため、第２光源１２０と第１光源１１０とは離間した状態となる。このため、第１光源１１０及び第２光源１２０で生じた熱を、放熱部１４０がより確実に放熱させることができる。
【００７９】
また、本実施の形態に係る移動体照明装置１０において、反射体１３０のＸ軸マイナス方向の端部は、第１光源１１０よりもＸ軸マイナス方向に位置し、かつ、第１光源１１０よりもＺ軸プラス方向に位置している。
【００８０】
このように、反射体１３０のＸ軸マイナス方向の端部は、第１光源１１０よりもＸ軸マイナス方向に位置し、かつ、第１光源１１０よりもＺ軸プラス方向に位置している。例えば第１光源と反射体とをＸ軸方向に並べた場合に比べて、本実施の形態の移動体照明装置１０では、第１光源１１０が出射した光は、反射体１３０によりＺ軸マイナス方向に向かい易くなる。このため、第１光源１１０が出射した光は、反射体１３０により反射されて、投影レンズ１７０の第１レンズ部１７１に光が入射し易くなる。つまり、反射体１３０のＸ軸マイナス方向の端部は、第１光源１１０よりもＸ軸マイナス方向に位置することで、第２レンズ部１７２に反射体１３０が反射した光が入射することを抑制することができる。
【００８１】
また、本実施の形態に係る移動体照明装置１０において、放熱部１４０は、第１面１４１に形成された凸部１４０ａを有する。また、凸部１４０ａは、Ｘ軸方向に対してＸ軸プラス方向に下り傾斜する傾斜面１４１ａを有する。そして、第１光源１１０は、傾斜面１４１ａに配置されている。
【００８２】
このように、第１光源１１０は、傾斜面１４１ａに配置されている。比較例の放熱部２４０に比べて、凸部１４０ａがある分だけ、放熱部１４０に放熱フィンを多く配置することができる。このため、少なくとも第１光源１１０で生じた熱を、放熱部１４０がより確実に放熱させることができる。
【００８３】
また、本実施の形態に係る移動体照明装置１０において、放熱部１４０は、略直方体状である。また、放熱部１４０は、第１面１４１において、第１端縁Ｐ１と反対側の第２端縁Ｐ２を有する。そして、反射体１３０のＸ軸マイナス方向の端部は、第２端縁Ｐ２に接している。
【００８４】
このように、反射体１３０のＸ軸マイナス方向の端部は、第２端縁Ｐ２に接している。このため、反射体１３０を放熱部１４０に組付ける際に、放熱部１４０に対して反射体１３０の位置決めを行い易くなる。
【００８５】
（実施の形態２）
図７は、実施の形態２に係る移動体照明装置２００を示す断面図である。図８は、実施の形態２に係る移動体照明装置２００の鏡筒３６０を示す斜視図である。
【００８６】
本実施の形態では、複数の第２光源１２０のＸ軸プラス方向側に鏡筒３６０を設けている点で実施の形態１と相違する。本実施の形態の移動体照明装置２００は、特に明記しない場合は、実施の形態１等と同様であり、同一の構成については同一の符号を付して構成に関する詳細な説明を省略する。
【００８７】
図７及び図８に示すように、第２光源１２０は、Ｙ軸方向に複数並べられている。本実施の形態では、第２光源１２０は、一列に並べられているが、複数列に並べられていてもよい。つまり、第２光源１２０は、マトリクス状に並べられていてもよい。
【００８８】
移動体照明装置２００は、鏡筒３６０を備える。
【００８９】
鏡筒３６０は、例えば筒状の筐体であり、内部で光を反射する。鏡筒３６０は、法規にて定められた前照灯１の配光パターンとなるようにＺ軸プラス方向側に段部が形成されている。鏡筒３６０は、第２光源１２０から出射された光を第２レンズ部１７２に案内する導光路３６１を内部に形成している。鏡筒３６０は、第２光源１２０から出射された光が入射するＸ軸マイナス方向側の複数の入射開口と、第２光源１２０から出射された光が出射するＸ軸プラス方向側の複数の出射開口とを有する。入射開口と出射開口とは一対一で対応し、入射開口と第２光源１２０とも一対一で対応している。なお、鏡筒３６０は、各々の第２光源１２０に１つずつ配置してもよい。
【００９０】
鏡筒３６０は、第２光源１２０のＸ軸プラス方向側に配置され、第２光源１２０から出射された光を、所定の領域に照射する姿勢で保持部材１５０に固定されている。鏡筒３６０は、Ｙ軸方向に配列されている。鏡筒３６０の複数の導光路３６１は、複数の第２光源１２０と一対一で対応し、かつ、複数の第２光源１２０が出射した光を案内する。つまり、本実施の形態の移動体照明装置２００では、１つの第２光源１２０が出射した光を案内する鏡筒３６０が設けられている。鏡筒３６０は、各々の第２光源１２０から出射された光を個別の領域ごとに照射することが可能である。
【００９１】
［作用効果］
次に、本実施の形態における移動体照明装置２００の作用効果について説明する。
【００９２】
上述したように、本実施の形態に係る移動体照明装置２００において、第２光源１２０は、複数設けられている。
【００９３】
このように、複数の第２光源１２０を用いることで、移動体照明装置２００は、個別の領域ごとに照らし分けを行うことができる。
【００９４】
また、本実施の形態に係る移動体照明装置２００において、複数の第２光源１２０が出射した光を案内する鏡筒３６０を備える。鏡筒３６０は、複数の第２光源１２０と一対一で対応し、かつ、各々の第２光源１２０から出射された光を個別の領域ごとに照射することが可能な導光路３６１を有する。
【００９５】
このように、各々の鏡筒３６０は、各々の第２光源１２０から出射された光を個別の領域ごとに照射可能な導光路３６１を有する。このため、導光路３６１に対応した第２光源１２０を出射した光によって個別の領域ごとに、より正確に照らし分けを行うことができる。
【００９６】
本実施の形態における他の作用効果についても、実施の形態１と同様の作用効果を奏する。
【００９７】
（その他変形例等）
以上、本開示について、実施の形態１、２に基づいて説明したが、本開示は、上記実施の形態１、２に限定されるものではない。
【００９８】
例えば、上記実施の形態２に係り、車両は、さらに、センサと、制御部とを有していてもよい。移動体照明装置を車両に搭載した場合に、センサが、車両の走行中に人、他の車両等の障害物を検知して、その検知情報を制御部に出力してもよい。制御部は、検知情報に基づいて、複数の第２光源が出射する光の内、障害物を照らす対象となる第２光源を認定する。制御部は、認定した第２光源を消灯してもよい。また、センサが障害物を検知しなくなれば、制御部は、消灯した第２光源を点灯してもよい。このようにして、車両は、個別領域ごとに照らし分けを行うことができる。なお、ここでいうセンサは、例えば赤外線センサ等である。
【００９９】
また、上記実施の形態１、２に係り、第１光源は、複数設けられていてもよい。
【０１００】
その他、実施の形態１、２に対して当業者が思いつく各種変形を施して得られる形態、本開示の趣旨を逸脱しない範囲で実施の形態１、２における構成要素及び機能を任意に組み合わせることで実現される形態も本開示に含まれる。
【符号の説明】
【０１０１】
１  前照灯
１０、２００  移動体照明装置
１００  車両（移動体）
１１０  第１光源
１２０  第２光源
１３０  反射体
１４０  放熱部
１４１  第１面
１４１ａ  傾斜面
１４２  第２面
１６０  シェード（遮蔽体）
１６０ａ  端縁部
１７０  投影レンズ
１７１  第１レンズ部
１７２  第２レンズ部
３６０  鏡筒
３６１  導光路
Ｈ１  回転楕円体
Ｐ１  第１端縁
Ｐ２  第２端縁
Ｓ１  第１焦点
Ｓ２  第２焦点
【図１】
2019061905.tif 000003
【図２】
2019061905.tif 000004
【図３】
2019061905.tif 000005
【図４】
2019061905.tif 000006
【図５】
2019061905.tif 000007
【図６】
2019061905.tif 000008
【図７】
2019061905.tif 000009
【図８】
2019061905.tif 000010